【手続補正書】
【提出日】平成29年6月27日(2017.6.27)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
前記装置においてローカルに、フルカウンター暗号モードプロトコル（ＣＣＭＰ）ヘッダを有する以前に受け取ったパケットを通じて取得されたＣＣＭＰ情報の第１の部分を記憶するための手段と、
パケットを受け取るための手段と、ここで、前記パケットは前記ＣＣＭＰ情報を使用して符号化されたデータフィールドを備える、
前記ＣＣＭＰ情報の前記記憶された第１の部分と、前記パケットに含まれる追加の情報とを使用して、前記データフィールドを復号するための手段と
を備え、
前記装置は、前記データフィールドを符号化するために使用される前記ＣＣＭＰ情報の第２の部分を、前記パケットに含まれる圧縮されたＣＣＭＰヘッダから取得するための、および前記データフィールドを符号化するために使用される前記ＣＣＭＰ情報の前記記憶された第１の部分を取得するための手段をさらに備えており、前記復号するための手段は、前記データフィールドを復号するために、前記ＣＣＭＰ情報の前記取得した第１の部分および第２の部分を使用するように適合されている、装置。
【請求項２】
前記パケットは、ＭＡＣヘッダと、前記ＭＡＣヘッダが通常のＭＡＣヘッダと比べてバイト数が少ないショートＭＡＣヘッダを備える旨のインジケーションとを備えている請求項１に記載の装置。
【請求項３】
前記ＣＣＭＰ情報の前記記憶された第１の部分は、前記データフィールドを暗号化するために使用されるパケット番号の第１の部分を備えており、前記パケット番号は、各送信によりインクリメントされ、
特に、
前記パケットは、前記パケット番号の第２の部分を有するＣＣＭＰヘッダを備えているか、または、
特に、前記復号するための手段は、前記装置に記憶された前記パケット番号の前記第１の部分と、ＭＡＣヘッダに含まれるシーケンス番号とにもとづいて、前記パケット番号を生成するように構成されているか、または、
特に、
前記装置に記憶された前記パケット番号の前記第１の部分は、前記パケット番号の最上位ビットを備えており、
前記処理システムは、前記パケット番号のロールオーバを検出し、前記検出に応答して前記装置に記憶された前記パケット番号の前記最上位ビットを更新するように構成されている、
請求項１に記載の装置。
【請求項４】
ＣＣＭＰ情報の更新されたバージョンを有する後続のパケットを受け取るための手段と、
前記ＣＣＭＰ情報の前記記憶された一部分を更新するための手段と
をさらに備える請求項１に記載の装置か、または、
前記パケットは、予備のバイトを欠くＣＣＭＰヘッダを備え、
前記復号するための手段は、前記ＣＣＭＰヘッダに含まれる情報および前記記憶された情報を使用して前記データフィールドを復号するように構成されている請求項１に記載の装置。
【請求項５】
ワイヤレス通信のための装置であって、
カウンター暗号モードプロトコル（ＣＣＭＰ）情報を使用してデータフィールドを符号化するための手段と、
前記ＣＣＭＰ情報の第１の部分を別の装置へとシグナリングし、前記符号化されたデータフィールドを有するパケットを前記別の装置へと送信するための手段と
を備えており、
前記パケットは、前記データフィールドを符号化するために使用される前記ＣＣＭＰ情報の一部を欠いており、
前記シグナリングするための手段は、前記データフィールドを符号化するために使用される前記ＣＣＭＰ情報の第２の部分を、前記パケットに含まれる圧縮されたＣＣＭＰヘッダにおいて前記別の装置へと提供し、前記データフィールドを符号化するために使用される前記ＣＣＭＰ情報の前記第１の部分を、前記圧縮されたＣＣＭＰヘッダには含まれていない少なくとも何らかのＣＣＭＰ情報を有する以前に受け取ったパケットに含まれるフルＣＣＭＰヘッダにおいて前記別の装置へと提供するように構成されている、装置。
【請求項６】
前記パケットは、ＭＡＣヘッダと、前記ＭＡＣヘッダが通常のＭＡＣヘッダと比べてバイト数が少ないショートＭＡＣヘッダを備える旨のインジケーションとを備えている請求項５に記載の装置。
【請求項７】
前記ＣＣＭＰ情報の前記シグナリングされた第１の部分は、前記データフィールドを符号化するために使用されるパケット番号の第１の部分を備えており、前記パケット番号は、各送信によりインクリメントされ、
特に、
前記パケットは、前記パケット番号の第２の部分を有するＣＣＭＰヘッダを備えている請求項５に記載の装置か、または、
ＣＣＭＰ情報の更新されたバージョンを有する後続のパケットを送信するための手段
をさらに備える請求項５に記載の装置。
【請求項８】
前記パケットは、予備のバイトを欠くＣＣＭＰヘッダを備えている請求項５に記載の装置。
【請求項９】
装置によるワイヤレス通信のための方法であって、
前記装置においてローカルに、フルカウンター暗号モードプロトコル（ＣＣＭＰ）ヘッダを有する以前に受け取ったパケットを通じて取得されたＣＣＭＰ情報の第１の部分を記憶することと、
パケットを受け取ることと、ここで、前記パケットは前記ＣＣＭＰ情報を使用して符号化されたデータフィールドを備える、
前記情報のセットの前記記憶された第１の部分と、前記パケットに含まれる追加の情報とを使用して、前記データフィールドを復号することと
を備え、
前記方法は、前記データフィールドを符号化するために使用される前記ＣＣＭＰ情報の第２の部分を、前記パケットに含まれる圧縮されたＣＣＭＰヘッダから取得し、前記データフィールドを符号化するために使用される前記ＣＣＭＰ情報の前記記憶された第１の部分を取得することと、前記データフィールドを復号するために、前記ＣＣＭＰ情報の前記取得した第１の部分および第２の部分を使用することと、をさらに備える、方法。
【請求項１０】
前記パケットは、ＭＡＣヘッダと、前記ＭＡＣヘッダが通常のＭＡＣヘッダと比べてバイト数が少ないショートＭＡＣヘッダを備える旨のインジケーションとを備えている請求項９に記載の方法。
【請求項１１】
前記ＣＣＭＰ情報の前記記憶された一部分は、前記データフィールドを暗号化するために使用されるパケット番号の第１の部分を備えており、前記パケット番号は、各送信によりインクリメントされ、
特に、
前記パケットは、前記パケット番号の第２の部分を有するＣＣＭＰヘッダを備えているか、または、
特に、前記装置に記憶された前記パケット番号の前記第１の部分と、ＭＡＣヘッダに含まれるシーケンス番号とにもとづいて、前記パケット番号を生成することをさらに備えるか、または、
特に、
前記装置に記憶された前記パケット番号の前記第１の部分は、前記パケット番号の最上位ビットを備えており、
前記方法は、前記パケット番号のロールオーバを検出し、前記検出に応答して前記装置に記憶された前記パケット番号の前記最上位ビットを更新することをさらに備えている請求項９に記載の方法か、または、
ＣＣＭＰ情報の更新されたバージョンを有する後続のパケットを受け取ることと、
前記ＣＣＭＰ情報の前記記憶された一部分を更新することと
をさらに備える請求項９に記載の方法か、または、
前記パケットは、予備のバイトを欠くＣＣＭＰヘッダを備え、
前記復号することは、前記ＣＣＭＰヘッダに含まれる情報および前記記憶された情報を使用して前記データフィールドを復号することを備える請求項９に記載の方法。
【請求項１２】
装置によるワイヤレス通信のための方法であって、
カウンター暗号モードプロトコル（ＣＣＭＰ）情報を使用してデータフィールドを符号化することと、
前記ＣＣＭＰ情報の第１の部分を別の装置へとシグナリングし、前記符号化されたデータフィールドを有するパケットを前記別の装置へと送信することと
を備えており、
前記パケットは、前記データフィールドを符号化するために使用される前記ＣＣＭＰ情報の一部を欠いており、
前記シグナリングすることは、前記データフィールドを符号化するために使用される前記ＣＣＭＰ情報の第２の部分を、前記パケットに含まれる圧縮されたＣＣＭＰヘッダにおいて前記別の装置へと提供し、前記データフィールドを符号化するために使用される前記ＣＣＭＰ情報の前記第１の部分を、前記圧縮されたＣＣＭＰヘッダには含まれていない少なくとも何らかのＣＣＭＰ情報を有する以前に受け取ったパケットに含まれるフルＣＣＭＰヘッダにおいて前記別の装置へと提供することを備えている、方法。
【請求項１３】
前記パケットは、ＭＡＣヘッダと、前記ＭＡＣヘッダが通常のＭＡＣヘッダと比べてバイト数が少ないショートＭＡＣヘッダを備える旨のインジケーションとを備えている請求項１２に記載の方法。
【請求項１４】
前記ＣＣＭＰ情報の前記シグナリングされた第１の部分は、前記データフィールドを符号化するために使用されるパケット番号の第１の部分を備えており、前記パケット番号は、各送信によりインクリメントされ、
特に、
前記パケットは、前記パケット番号の第２の部分を有するＣＣＭＰヘッダを備えている請求項１２に記載の方法か、または、
ＣＣＭＰ情報の更新されたバージョンを有する後続のパケットを送信すること
をさらに備える請求項１２に記載の方法か、または、
前記パケットは、予備のバイトを欠くＣＣＭＰヘッダを備えている請求項１２に記載の方法か、または、
前記符号化することは、キーＩＤを使用して前記データフィールドを符号化することを備え、
特に、前記シグナリングすることは、管理フレームの交換またはフルＣＣＭＰヘッダを通じて前記別の装置へと前記キーＩＤを送信することを備えている請求項１２に記載の方法。
【請求項１５】
コンピュータ上で実行されると請求項９〜１４のいずれか一項に記載の方法のステップを行うためのコードを備える、コンピュータプログラム。